(57)【要約】【課題】階層構造のコンテンツ構成のデータを階層構造非対応のメディアに書き込む場合に、簡易な作業で階層構造非対応のメディアに記録できるコンテンツ構成に変更できるようにする。【解決手段】それぞれ画像信号を含む複数のコンテンツファイルを記録媒体に記録する記録部１１７と、その記録動作に伴って、複数のコンテンツファイルが見かけ上複数階層からなる第１のコンテンツ構成となるように、複数のコンテンツファイルを管理する第１の管理ファイルを生成する第１の管理ファイル生成部１２２と、第１のコンテンツ構成を複数のコンテンツファイルが１つの階層からなる第２のコンテンツ構成に変換した状態で、複数のコンテンツファイルを管理する第２の管理ファイルを生成する第２の管理ファイル生成部１２２とを具備する。【選択図】      図１
2006072736.tif 000002
【特許請求の範囲】
【請求項１】
それぞれ画像信号を含む複数のコンテンツファイルを記録媒体に記録する記録手段と、
該記録手段による記録動作に伴って、前記複数のコンテンツファイルが見かけ上複数階層からなる第１のコンテンツ構成となるように、前記複数のコンテンツファイルを管理する第１の管理ファイルを生成する第１の管理ファイル生成手段と、
前記第１のコンテンツ構成を前記複数のコンテンツファイルが１つの階層からなる第２のコンテンツ構成に変換した状態で、前記複数のコンテンツファイルを管理する第２の管理ファイルを生成する第２の管理ファイル生成手段と、
を具備することを特徴とする情報処理装置。
【請求項２】
前記第２の管理ファイルの内容に基づいて、前記第２のコンテンツ構成を示す表示画面を表示する表示手段を更に具備することを特徴とする請求項１に記載の情報処理装置。
【請求項３】
前記第１のコンテンツ構成は複数のコンテンツファイルを含むフォルダを含み、前記第２の管理ファイル生成手段は、前記第１の管理ファイルによって管理されている各フォルダ内のコンテンツファイルを各フォルダ毎に結合してそれぞれ１つのコンテンツとすると共に、前記コンテンツファイルが結合された境界を位置マーカによって区切るようにして、前記第２の管理ファイルを生成することを特徴とする請求項１に記載の情報処理装置。
【請求項４】
前記第１のコンテンツ構成は複数のコンテンツファイルを含むフォルダを含み、前記第２の管理ファイル生成手段は、前記第１のコンテンツ構成において、前記記録媒体に記録されている全てのコンテンツファイル及びフォルダを含むルートフォルダの直下の階層である第１のフォルダ内に、さらに下位階層である第２のフォルダが存在する場合、前記第１のフォルダ内に存在しているフォルダ以外のコンテンツファイルを結合して第１のコンテンツとし、さらに前記第２のフォルダ内に存在しているフォルダ以外のコンテンツファイルを結合して前記第１のコンテンツとは別の第２のコンテンツとするように、前記第２の管理ファイルを生成することを特徴とする請求項１に記載の情報処理装置。
【請求項５】
前記第１のコンテンツ構成は複数のコンテンツファイルを含むフォルダを含み、前記第２の管理ファイル生成手段は、前記第１のコンテンツ構成における各コンテンツファイルを前記フォルダに関わらず一つのコンテンツとして結合し、該結合した各コンテンツファイルの境界を位置マーカによって区切るようにして、前記第２の管理ファイルを生成することを特徴とする請求項１に記載の情報処理装置。
【請求項６】
前記第２の管理ファイル生成手段は、各コンテンツファイルの生成時刻順に前記複数のコンテンツファイルが再生されるように、前記第２の管理ファイルを生成することを特徴とする請求項５に記載の情報処理装置。
【請求項７】
前記第２の管理ファイル生成手段は、前記第１の管理ファイルによって管理されているフォルダ毎のコンテンツファイルの生成時刻順に前記複数のコンテンツファイルが再生されるように、前記第２の管理ファイルを生成することを特徴とする請求項５に記載の情報処理装置。
【請求項８】
前記記録手段は更に、前記第１の管理ファイル及び第２の管理ファイルを前記記録媒体に記録することを特徴とする請求項１に記載の情報処理装置。
【請求項９】
前記記録媒体に記録された複数のコンテンツファイルと前記第２の管理ファイルとを他の記録媒体に記録すべく外部装置に送信する送信手段を更に具備することを特徴とする請求項１に記載の情報処理装置。
【請求項１０】
前記第２のコンテンツ構成における一つのコンテンツは、ＤＶＤ−Ｖｉｄｅｏ規格におけるタイトルであることを特徴とする請求項１乃至９のいずれか１項に記載の情報処理装置。
【請求項１１】
前記位置マーカは、ＤＶＤ−Ｖｉｄｅｏ規格におけるチャプターであることを特徴とする請求項３、５乃至７のいずれか１項に記載の情報処理装置。
【請求項１２】
前記情報処理装置は、デジタルビデオカメラであることを特徴とする請求項１に記載の情報処理装置。
【請求項１３】
それぞれ画像信号を含む複数のコンテンツファイルを記録媒体に記録する記録工程と、
該記録工程における記録動作に伴って、前記複数のコンテンツファイルが見かけ上複数階層からなる第１のコンテンツ構成となるように、前記複数のコンテンツファイルを管理する第１の管理ファイルを生成する第１の管理ファイル生成工程と、
前記第１のコンテンツ構成を前記複数のコンテンツファイルが１つの階層からなる第２のコンテンツ構成に変換した状態で、前記複数のコンテンツファイルを管理する第２の管理ファイルを生成する第２の管理ファイル生成工程と、
を具備することを特徴とする情報処理方法。
【請求項１４】
請求項１３に記載の情報処理方法をコンピュータに実行させることを特徴とするプログラム。
【請求項１５】
請求項１４に記載のプログラムをコンピュータ読み取り可能に記憶したことを特徴とする記憶媒体。
【発明の詳細な説明】
【技術分野】
【０００１】
本発明は、記録媒体に画像を記録する技術に関するものである。
【背景技術】
【０００２】
近年、映像記録媒体として大容量の光ディスクやフラッシュメモリカードを用いる映像記録装置が提案されている。このような記録媒体では、再生時にランダムアクセスが可能となっており、パソコンのファイルにアクセスするかのごとく、任意の撮影済みコンテンツを素早く呼び出せることが特徴となっている。多くの場合、再生時に撮影コンテンツを示す縮小画像(サムネイル)またはタイトルリストが一覧形式で表示され、ユーザはその一覧表示の中から所望のコンテンツを探し出して指定し、再生を実行するという手順となっている（例えば、特許文献１参照）。
【０００３】
また、近年では、この様な光ディスクやメモリカードを記録媒体とするビデオカメラが登場している。ビデオカメラにおいて撮影されるコンテンツ１つあたりの録画時間は短い場合は１分程度となるため、１つの記録媒体に１００近くのコンテンツが記録できることとなる。このようにコンテンツが多い場合、前記の一覧表示の中からユーザが所望のコンテンツを探し出すことは困難である。
【０００４】
この問題の解決策としては、パソコンによるファイル管理のように、複数階層のフォルダ構成によって撮影コンテンツを分類、収容しておくことが考えられる。例えば、図１１に示すように、旅行先で撮影したコンテンツを”北海道”というフォルダに収容し、さらにその下の階層で、”利尻・礼文”というフォルダに分類することで、容易にコンテンツを探せるような構成が考えられる。
【特許文献１】特開２０００−４１２０９号公報
【発明の開示】
【発明が解決しようとする課題】
【０００５】
しかしながら、上記のような複数階層からなるコンテンツ管理システムによる記録媒体の内容は、ＤＶＤ−Ｒなどのような階層フォルダに非対応のメディアでは、そのままの複数階層の形式で書き込むことができない。したがって、このような場合は記録媒体の内容を一度パソコンや編集装置などに取り込んだ後、改めて複数階層に分類されているコンテンツを選定し、フォルダの外に出す、もしくはコンテンツを分割・結合して１つのコンテンツとしてまとめ直す等の編集作業が必要となることがあった。この作業は取り込み作業に時間がかかる等非常に煩わしいものであると共に、後日同じ編集作業を行う時に、以前行った編集プロセスが思い出せず、違った編集結果になってしまうこともあった。
【０００６】
従って、本発明は上述した課題に鑑みてなされたものであり、その目的は、階層構造のコンテンツ構成のデータを階層構造非対応のメディアに書き込む場合に、簡易な作業で階層構造非対応のメディアに記録できるコンテンツ構成に変更できるようにすることである。
【課題を解決するための手段】
【０００７】
上述した課題を解決し、目的を達成するために、本発明にかかわる情報処理装置は、それぞれ画像信号を含む複数のコンテンツファイルを記録媒体に記録する記録手段と、該記録手段による記録動作に伴って、前記複数のコンテンツファイルが見かけ上複数階層からなる第１のコンテンツ構成となるように、前記複数のコンテンツファイルを管理する第１の管理ファイルを生成する第１の管理ファイル生成手段と、前記第１のコンテンツ構成を前記複数のコンテンツファイルが１つの階層からなる第２のコンテンツ構成に変換した状態で、前記複数のコンテンツファイルを管理する第２の管理ファイルを生成する第２の管理ファイル生成手段と、を具備することを特徴とする。
【０００８】
また、この発明にかかわる情報処理装置において、前記第２の管理ファイルの内容に基づいて、前記第２のコンテンツ構成を示す表示画面を表示する表示手段を更に具備することを特徴とする。
【０００９】
また、この発明にかかわる情報処理装置において、前記第１のコンテンツ構成は複数のコンテンツファイルを含むフォルダを含み、前記第２の管理ファイル生成手段は、前記第１の管理ファイルによって管理されている各フォルダ内のコンテンツファイルを各フォルダ毎に結合してそれぞれ１つのコンテンツとすると共に、前記コンテンツファイルが結合された境界を位置マーカによって区切るようにして、前記第２の管理ファイルを生成することを特徴とする。
【００１０】
また、この発明にかかわる情報処理装置において、前記第１のコンテンツ構成は複数のコンテンツファイルを含むフォルダを含み、前記第２の管理ファイル生成手段は、前記第１のコンテンツ構成において、前記記録媒体に記録されている全てのコンテンツファイル及びフォルダを含むルートフォルダの直下の階層である第１のフォルダ内に、さらに下位階層である第２のフォルダが存在する場合、前記第１のフォルダ内に存在しているフォルダ以外のコンテンツファイルを結合して第１のコンテンツとし、さらに前記第２のフォルダ内に存在しているフォルダ以外のコンテンツファイルを結合して前記第１のコンテンツとは別の第２のコンテンツとするように、前記第２の管理ファイルを生成することを特徴とする。
【００１１】
また、この発明にかかわる情報処理装置において、前記第１のコンテンツ構成は複数のコンテンツファイルを含むフォルダを含み、前記第２の管理ファイル生成手段は、前記第１のコンテンツ構成における各コンテンツファイルを前記フォルダに関わらず一つのコンテンツとして結合し、該結合した各コンテンツファイルの境界を位置マーカによって区切るようにして、前記第２の管理ファイルを生成することを特徴とする。
【００１２】
また、この発明にかかわる情報処理装置において、前記第２の管理ファイル生成手段は、各コンテンツファイルの生成時刻順に前記複数のコンテンツファイルが再生されるように、前記第２の管理ファイルを生成することを特徴とする。
【００１３】
また、この発明にかかわる情報処理装置において、前記第２の管理ファイル生成手段は、前記第１の管理ファイルによって管理されているフォルダ毎のコンテンツファイルの生成時刻順に前記複数のコンテンツファイルが再生されるように、前記第２の管理ファイルを生成することを特徴とする。
【００１４】
また、この発明にかかわる情報処理装置において、前記記録手段は更に、前記第１の管理ファイル及び第２の管理ファイルを前記記録媒体に記録することを特徴とする。
【００１５】
また、この発明にかかわる情報処理装置において、前記記録媒体に記録された複数のコンテンツファイルと前記第２の管理ファイルとを他の記録媒体に記録すべく外部装置に送信する送信手段を更に具備することを特徴とする。
【００１６】
また、この発明にかかわる情報処理装置において、前記第２のコンテンツ構成における一つのコンテンツは、ＤＶＤ−Ｖｉｄｅｏ規格におけるタイトルであることを特徴とする。
【００１７】
また、この発明にかかわる情報処理装置において、前記位置マーカは、ＤＶＤ−Ｖｉｄｅｏ規格におけるチャプターであることを特徴とする。
【００１８】
また、この発明にかかわる情報処理装置において、前記情報処理装置は、デジタルビデオカメラであることを特徴とす。
【００１９】
また、本発明にかかわる情報処理方法において、それぞれ画像信号を含む複数のコンテンツファイルを記録媒体に記録する記録工程と、該記録工程における記録動作に伴って、前記複数のコンテンツファイルが見かけ上複数階層からなる第１のコンテンツ構成となるように、前記複数のコンテンツファイルを管理する第１の管理ファイルを生成する第１の管理ファイル生成工程と、前記第１のコンテンツ構成を前記複数のコンテンツファイルが１つの階層からなる第２のコンテンツ構成に変換した状態で、前記複数のコンテンツファイルを管理する第２の管理ファイルを生成する第２の管理ファイル生成工程と、を具備することを特徴とする。
【００２０】
また、本発明にかかわるプログラムは、上記の情報処理方法をコンピュータに実行させることを特徴とする。
【００２１】
また、本発明にかかわる記憶媒体は、上記のプログラムをコンピュータ読み取り可能に記憶したことを特徴とする。
【発明の効果】
【００２２】
本発明によれば、階層構造のコンテンツ構成のデータを階層構造非対応のメディアに書き込む場合に、簡易な作業で階層構造非対応のメディアに記録できるコンテンツ構成に変更することが可能となる。
【００２３】
また、毎回同じ階層構造非対応のメディアに記録できるコンテンツ構成に変更することが可能となる。
【発明を実施するための最良の形態】
【００２４】
以下、本発明をデジタルビデオカメラに適用した実施形態について、図面を参照して詳細に説明する。なお、以下の実施形態のデジタルビデオカメラは、記録媒体として、光ディスクやフラッシュメモリカードなどを用いるものである。
【００２５】
（第１の実施形態）
図１は本実施形態のデジタルビデオカメラの構成を示すブロック図である。
【００２６】
図１において、１０１は被写体からの光を取り込んで結像させる撮影レンズ、１０２は後述の撮像素子への入射光量を制御する絞り、１０３は結像された被写体像を画像信号に変換する撮像素子、１０４は画像信号をサンプルホールドし、適正な信号レベルにするＣＤＳ／ＡＧＣ回路、１０５はＣＤＳ／ＡＧＣ回路１０４からの画像信号をＡ／Ｄ変換し、デジタル信号処理を行うデジタル信号処理回路、１０６はデジタル信号処理回路１０５からの生データを１フレーム分ずつ蓄積するフレームメモリ、１０７はフレームメモリ１０６からの画像データの画素を後述のＭＰＥＧ２またはＭＰＥＧ４方式での記録が出来るように、適切な画素数に調整する画素数調整回路、１０８は各ブロック間の画像データ及び後述の音声データが行き来する画像／音声データバス、１０９は画像データと共に後述のリムーバブルディスクに記録される音声を集音するマイクロフォン、１１０はマイクロフォン１０９からの音声信号を適当なレベルまで増幅する増幅器、１１１は増幅された音声信号をＡ／Ｄ変換するＡ／Ｄコンバータ、１１２は再生モード時には後述のＭＰＥＧ２コーデック１１４からの再生画像データ、撮影時には撮像素子１０３で撮像された映像を表示する液晶ディスプレイ、１１３は液晶ディスプレイを駆動する液晶ドライバ、１１４は、画像／音声データバス１０８からのデジタル画像信号を動画としてＭＰＥＧ２方式により圧縮すると共に、後述のフラッシュメモリに記録されたＭＰＥＧ２圧縮データを伸長するＭＰＥＧ２コーデック、１１５は後述のＮＴＳＣエンコーダからのアナログ映像信号を出力するビデオ出力端子、１１６は液晶ディスプレイ１１２で表示されるものと同一の画像をアナログ化し、ビデオ出力端子１１５に出力するＮＴＳＣエンコーダ、１１７は後述の光ディスク１１８に対してデータの読み書きを行うディスクドライバ、１１８は画像／音声データバス１０８からのＭＰＥＧ２画像データを記録する光ディスク、１１９は後述のＵＳＢインターフェース１２０からのデータを出力するＵＳＢ端子、１２０は光ディスク１１８に記録されたＭＰＥＧ２方式の画像データをそのまま外部に出力するＵＳＢインターフェース、１２１は使用者が本体に対する操作を行うための操作キー、１２２は機器全体のモードを制御したり、操作キー１２１を検出して各種機能の実行を制御するメインマイコン、１２３はメインマイコン１２２の所定の状態を記憶する不揮発性メモリであるＥＥＰＲＯＭ、１２４はメインマイコン１２２からの制御信号や、操作キー１２１からの信号が行き来する制御信号バスである。
【００２７】
図２は、本実施形態のデジタルビデオカメラで用いられる、階層記録フォーマットにて記録されているディスクの記録内容の例を示す図である。
【００２８】
このディスクのコンテンツの管理構造は(ａ)のごとくツリー状に階層記録されているように扱われているが、ファイルシステム上は（ｂ）のように記録されている。このファイル構造はユーザには見せず、第１のコンテンツマネージメントファイル２１０によって仮想フォルダが規定され、ツリー構造（ａ）のごとく、仮想的な階層記録構造（ａ）のみがユーザから見えるようになっている。なお、rootとはディスク媒体の領域そのものを示し、フォルダとして見えることはない。
【００２９】
図３はコンテンツマネージメントファイル２１０の内容を示す図である。
【００３０】
図３において、３０１は図２の”結婚式“フォルダ２０２の情報を示し、属性がフォルダであって、タイトル名は”結婚式”、フォルダの中に３つアイテムがあることを示し、親フォルダはrootであることを示している。また、３０２は図２の”挙式”動画ファイル２０６の情報を示し、属性は動画のファイルであって、タイトル名は”挙式”、親フォルダはitem１の”結婚式”フォルダ、ファイルシステム上の実体は”mov_0001.mpg”ファイル、記録時間は１５分３９秒であることを示している。以下、同様に４つのアイテムについて情報が記録されており、これによって図２（ａ）のフォルダ構造を実現している。
【００３１】
以上のディスクから本実施形態のデジタルビデオカメラにて、コンテンツの一覧表示を行った場合の例を図４に示す。
【００３２】
本実施形態のデジタルビデオカメラではコンテンツ一覧表示に先立って、コンテンツマネージメントファイル２１０をすべて読み込み、メインマイコン１２２内に有するＲＡＭに格納し、以後はＲＡＭ内の情報によって動作する。図４において、４０３乃至４０６が動画ファイルで、本体に装着された十字キーなどの操作により、いずれかのファイルが選択される。例においては”入場”コンテンツ４０３が選択されていることを示している。この状態で本体の再生キーを押すと、該当ファイルであるmov_0003.mpgが再生される。
【００３３】
本実施形態のデジタルビデオカメラでは、ＤＶＤ−Ｖｉｄｅｏ規格に従って各コンテンツを記録していない。一方、一般に普及しているＤＶＤプレーヤは、ＤＶＤ−Ｖｉｄｅｏ規格に応じたコンテンツだけが再生できる場合がほとんどである。そのため、本機で記録したコンテンツは一般に普及しているＤＶＤプレーヤなどで再生することは出来ない。そこで、これらのＤＶＤプレーヤで再生するためには、上記のコンテンツをＤＶＤ−Ｖｉｄｅｏ規格に変換してＤＶＤ−Ｒ等のメディアにコピーする必要がある。
【００３４】
しかし、本実施形態で記録しているフォルダ階層によるコンテンツ構成はＤＶＤ−Ｖｉｄｅｏ規格にてサポートされていないため、その構成を維持したままＤＶＤ−Ｒにコピーすることは出来ない場合がある。すなわち、ＤＶＤ−Ｒとの親和性を確保するためには、フォルダの中のコンテンツは何らかの形でフォルダ外に出した状態にしなければならない。
【００３５】
本実施形態のデジタルビデオカメラは以下の操作により、本実施形態のデジタルビデオカメラの特徴である、ＤＶＤ−Ｒにそのままコピーすることが出来るコンテンツ構成を持つ第２のコンテンツマネージメントファイルを作成することができる。以下に、その操作及び動作を説明する。
【００３６】
本実施形態のデジタルビデオカメラには、”ＤＶＤ−Ｒ互換”ボタンが装着されており、このボタンを押すと、図５に示す第２のコンテンツマネージメントファイルが作成される。
【００３７】
なお、第２のコンテンツマネージメントファイルは、第１のコンテンツマネージメントファイル２１０とは別に作成されるもので、第１のコンテンツマネージメントファイルが記録媒体に記録されているオリジナルコンテンツのすべてを指し示すもので唯一の存在であるのとは異なり、前記オリジナルコンテンツのフォルダ構成等に影響を与えることなく任意のオリジナルコンテンツを指し示すもので、複数作られてもよい。本体の表示上では、第１のコンテンツマネージメントファイルは”オリジナル”、第２のコンテンツマネージメントファイルは”プレイリスト”として扱われる。また、以下の”タイトル”とは１番組のイメージ、”チャプター”とは前記タイトルを区切るもので、再生装置上でチャプターサーチの単位となるものである。
【００３８】
本実施形態のデジタルビデオカメラでは、前記第１のコンテンツマネージメントファイルにおける、フォルダ内にあるコンテンツを結合し、ＤＶＤ−Ｖｉｄｅｏ規格における１つのタイトルとし、さらに結合した境目をＤＶＤ−Ｖｉｄｅｏ規格におけるチャプターとして管理するコンテンツ構成を第２のコンテンツマネージメントファイルとして生成する。また、フォルダ内にあるフォルダを独立した１つのタイトルとし、その中に納められているコンテンツの一つ一つをチャプターとして結合する。
【００３９】
図５に示す第２のコンテンツマネージメントファイルの内容を本実施形態のデジタルビデオカメラの再生モードで表示したものを図６乃至図８に示す。
【００４０】
図６においては、第１のコンテンツマネージメントファイルによって管理されている”結婚式”フォルダの内の”挙式”コンテンツと”披露宴”コンテンツが結合され、フォルダ名であった”結婚式”が名称となっている”結婚式”タイトルと、”二次会”フォルダの内の”入場”コンテンツと”余興”コンテンツが結合され、フォルダ名であった”二次会”が名称となっている”二次会”タイトルが表示されている。
【００４１】
図７はこのうち、”結婚式”タイトルを選択し、その内容を表示した例を示す図である。同図においては、第１のコンテンツマネージメントファイルによって管理されている”結婚式”フォルダ内に格納されていた”挙式”コンテンツと”披露宴”コンテンツが結合されており、それぞれが”結婚式”タイトル内のチャプターとして管理されていることを示している。
【００４２】
また、図８は”二次会”タイトルを選択し、その内容を表示した例を示す図である。同図においては、第１のコンテンツマネージメントファイルによって管理されている”二次会”フォルダ内に格納されていた”入場”コンテンツと”余興”コンテンツが結合されており、それぞれが”二次会”タイトル内のチャプターとして管理されていることを示している。
【００４３】
以上によって作成されたコンテンツ構成は、本実施形態のデジタルビデオカメラの再生モードでそのまま再生することができる。また、ＵＳＢ端子１１９に、一般的なＵＳＢインターフェースを持つＤＶＤライターを接続し、第２のコンテンツマネージメントファイルで示されるコンテンツ内容をそのままＤＶＤ−Ｒに書き込む構成とすることができる。また、図４に示すコンテンツ一覧画面をそのままメニュー画面としてＤＶＤ−Ｒに書き込む構成としてもよい。
【００４４】
さらに、前記オリジナルコンテンツに静止画が含まれていた場合、所定時間で前記静止画がめくられる内容のＭＰＥＧファイルを作成し、他の動画のオリジナルコンテンツと同じ扱いとする構成としてもよい。なお、この場合、静止画だけをまとめたフォルダを作成する構成でもよい。
【００４５】
（第２の実施形態）
以下、本発明の第２の実施形態について説明する。
【００４６】
本実施形態のデジタルビデオカメラのブロック図は第１の実施形態を示す図１と同様である。
【００４７】
図９ は、本実施形態のデジタルビデオカメラで用いられる、階層記録フォーマットにて記録されているディスクの記録内容の例を示す図である。このディスクのコンテンツの管理構造は(ａ)のごとくツリー状に階層記録されているように扱われているが、ファイルシステム上は（ｂ）のように記録されている。このファイル構造はユーザには見せず、第３のコンテンツマネージメントファイル９１０によって仮想フォルダが規定され、ツリー構造（ａ）のごとく、仮想的な階層記録構造（ａ）のみがユーザから見えるようになっている。なお、rootとはディスク媒体の領域そのものを示し、フォルダとして見えることはない。
【００４８】
図１０はコンテンツマネージメントファイル９１０の内容を示す図である。
【００４９】
図１０において、１００１は図９の”北海道“フォルダ９０２の情報を示し、属性がフォルダであって、タイトル名は”北海道”、フォルダの中に３つアイテムがあることを示し、親フォルダはrootであることを示している。また、１００２は図９の”フェリー”動画ファイル９０３の情報を示し、属性は動画のファイルであって、タイトル名は”フェリー”、親フォルダはitem１の”北海道”フォルダ、ファイルシステム上の実体は”mov_0001.mpg”ファイル、記録日は２００３年７月２１日であることを示している。以下、同様に４つのアイテムについて情報が記録されており、これによって図９（ａ）のフォルダ構造を実現している。
【００５０】
以上のデータ構造について、本実施形態のデジタルビデオカメラにて、コンテンツの一覧表示を行った場合の例を図１１に示す。
【００５１】
本実施形態のデジタルビデオカメラではコンテンツ一覧表示に先立って、コンテンツマネージメントファイル９１０をすべて読み込み、メインマイコン１２２内に有するＲＡＭに格納し、以後はＲＡＭ内の情報によって動作する。
【００５２】
図１１において、１１０３乃至１１０６が動画ファイルで、本体に装着された十字キーなどの操作により、いずれかのファイルが選択される。例においては”フェリー”コンテンツ１１０５が選択されていることを示している。この状態で本体の再生キーを押すと、該当ファイルであるmov_0001.mpgが再生される。
【００５３】
本実施形態のデジタルビデオカメラに用いられる記録媒体はＤＶＤではないため、本機で記録したコンテンツは一般に普及しているＤＶＤプレーヤなどで再生することは出来ない。そこで、これらのＤＶＤプレーヤで再生するためには、該コンテンツをＤＶＤ−Ｒ等にコピーする必要がある。
【００５４】
しかし、本実施形態で記録しているフォルダ階層によるコンテンツ構成は、その構成を維持したままＤＶＤ−Ｒにコピーすることは出来ない場合がある。すなわち、ＤＶＤ−Ｒとの親和性を確保するためには、フォルダの中のコンテンツは何らかの形で外に出した状態にしなければならない。
【００５５】
本実施形態のデジタルビデオカメラは以下の操作により、本実施形態のデジタルビデオカメラの特徴である、ＤＶＤ−Ｒにそのままコピーすることが出来るコンテンツ構成を持つ第４のコンテンツマネージメントファイルを作成することができる。以下に、その操作及び動作を説明する。
【００５６】
本実施形態のデジタルビデオカメラには、”ＤＶＤ−Ｒ互換(メニューなし)”ボタンが装着されており、該ボタンを押すと、図１２に示す第４のコンテンツマネージメントファイルが作成される。
【００５７】
なお、第４のコンテンツマネージメントファイルは、第３のコンテンツマネージメントファイルとは別に作成されるもので、第３のコンテンツマネージメントファイルが記録媒体に記録されているオリジナルコンテンツのすべてを指し示すもので唯一の存在であるのとは異なり、前記オリジナルコンテンツのフォルダ構成等に影響を与えることなく任意のオリジナルコンテンツを指し示すもので、複数作られてもよい。本体の表示上では、第３のコンテンツマネージメントファイルは”オリジナル”、第４のコンテンツマネージメントファイルは”プレイリスト”として扱われる。また、以下の”タイトル”とは１番組のイメージ、”チャプター”とはタイトルを区切るもので、再生装置上でチャプターサーチの単位となるものである。
【００５８】
本実施形態のデジタルビデオカメラでは、第３のコンテンツマネージメントファイルにおけるフォルダに関係なくすべてのコンテンツを結合して１つのタイトルとし、さらに結合した境目をチャプターとして管理するコンテンツ構成を第４のコンテンツマネージメントファイルとして生成する。
【００５９】
図１２に示す第４のコンテンツマネージメントファイルの内容を本実施形態のデジタルビデオカメラの再生モードで再生すると、図１１のコンテンツの一覧表示などは表示されず、第４のコンテンツマネージメントファイルに記載されているchapterの順に、指定されているmpgファイルが再生される。
【００６０】
以上によって作成されたコンテンツ構成は、本実施形態のデジタルビデオカメラの再生モードでそのまま再生することができる。また、ＵＳＢ端子１１９に、一般的なＵＳＢインターフェースを持つＤＶＤライターを接続し、第４のコンテンツマネージメントファイルで示されるコンテンツ内容をそのままＤＶＤ−Ｒに書き込む構成とすることができる。なお、ここで作成されるＤＶＤ−Ｒは、コンテンツメニューなどはなく、映像コンテンツのみが記録されたものとなる。
【００６１】
さらに、本実施形態においてはコンテンツの結合の際に、撮影日順に結合したが、そのほか名前順、それぞれフォルダの階層ごとの撮影日順、名前順に並べ替えて結合する構成としてもよい。
【００６２】
また、オリジナルコンテンツに静止画が含まれていた場合、所定時間で静止画がめくられる内容のＭＰＥＧファイルを作成し、他の動画のオリジナルコンテンツと同じ扱いとする構成としてもよい。なお、この場合、他の一連の動画コンテンツの最後に静止画のＭＰＥＧファイルを付加する構成でもよい。
【００６３】
（他の実施形態）
また、各実施形態の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００６４】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００６５】
本発明を上記記憶媒体に適用する場合、その記憶媒体には、先に説明した手順に対応するプログラムコードが格納されることになる。
【図面の簡単な説明】
【００６６】
【図１】本発明の第１及び第２の実施形態のデジタルビデオカメラのブロック構成を示す図である。
【図２】第１の実施形態における記録媒体の内容の例を示す図である。
【図３】第１の実施形態における第１のコンテンツマネージメントファイルの例を示す図である。
【図４】第１の実施形態におけるオリジナルコンテンツ一覧の例を示す図である。
【図５】第１の実施形態における第２のコンテンツマネージメントファイルの例を示す図である。
【図６】第１の実施形態におけるプレイリストタイトル一覧の例を示す図である。
【図７】第１の実施形態におけるプレイリストチャプター一覧の例を示す図である。
【図８】第１の実施形態におけるプレイリストチャプター一覧の例を示す図である。
【図９】第２の実施形態における記録媒体の内容の例を示す図である。
【図１０】第２の実施形態における第３のコンテンツマネージメントファイルの例を示す図である。
【図１１】第２の実施形態におけるオリジナルコンテンツ一覧の例を示す図である。
【図１２】第２の実施形態における第４のコンテンツマネージメントファイルの例を示す図である。
【図１】
2006072736.tif 000003
【図２】
2006072736.tif 000004
【図３】
2006072736.tif 000005
【図４】
2006072736.tif 000006
【図５】
2006072736.tif 000007
【図６】
2006072736.tif 000008
【図７】
2006072736.tif 000009
【図８】
2006072736.tif 000010
【図９】
2006072736.tif 000011
【図１０】
2006072736.tif 000012
【図１１】
2006072736.tif 000013
【図１２】
2006072736.tif 000014